【手続補正書】
【提出日】平成18年12月27日(2006.12.27)
【手続補正１】
【補正対象書類名】明細書
【補正対象項目名】発明の名称
【補正方法】変更
【補正の内容】
【発明の名称】記録再生装置、携帯装置、データ転送システム、データ転送方法、データ再生方法、データ転送及び再生方法
【手続補正２】
【補正対象書類名】明細書
【補正対象項目名】特許請求の範囲
【補正方法】変更
【補正の内容】
【特許請求の範囲】
【請求項１】  主データと、複数の主データを主データ集合体として管理する集合管理データとが記録される記録媒体に対して、前記主データ及び集合管理データの書き込み又は読出を行うことのできる書込／読出手段と、
前記主データ集合体を選択する選択手段と、
前記選択手段で選択された主データ集合体について、該当する集合管理データ及び主データを前記記録媒体から読み出し、外部機器に転送出力することができる転送制御手段と、
を備えたことを特徴とする記録再生装置。
【請求項２】  前記集合管理データは、主データ集合体の転送出力回数を管理できる情報であることを特徴とする請求項１に記載の記録再生装置。
【請求項３】  前記集合管理データは、主データ集合体に含まれる各主データについての転送出力回数を管理できる情報であることを特徴とする請求項１に記載の記録再生装置。
【請求項４】  前記転送制御手段は、選択された主データ集合体について該当する集合管理データに管理されている転送出力回数に応じて、主データ集合体の転送出力の実行又は禁止を制御することを特徴とする請求項２に記載の記録再生装置。
【請求項５】  前記転送制御手段は、選択された主データ集合体について該当する集合管理データに管理されている各主データの転送出力回数に応じて、主データ集合体の転送出力の実行又は禁止を制御することを特徴とする請求項３に記載の記録再生装置。
【請求項６】  前記転送制御手段は、選択された主データ集合体に含まれる主データのうちで転送出力回数が上限値を超えるものが存在した場合は、当該主データ集合体の転送出力を禁止することを特徴とする請求項５に記載の記録再生装置。
【請求項７】  前記転送制御手段は、選択された主データ集合体に含まれる主データのうちで転送出力回数が上限値を超えるものが存在した場合は、その主データを含まない状態として、当該主データ集合体の転送出力を実行することを特徴とする請求項５に記載の記録再生装置。
【請求項８】  前記集合管理データは、主データ集合体についての編集処理の有無を管理できる情報であることを特徴とする請求項１に記載の記録再生装置。
【請求項９】  前記転送制御手段は、選択された主データ集合体について該当する集合管理データに管理されている編集処理の有無に応じて、当該主データ集合体の転送出力の実行又は禁止を制御することを特徴とする請求項８に記載の記録再生装置。
【請求項１０】  送信されてきた複数の主データ、及びその複数の主データを主データ集合体として管理する集合管理データを、記録媒体に記録する送信情報記録手段と、
前記記録媒体に記録された集合管理データに基づいて、主データ集合体単位で再生動作を実行させることのできる再生制御手段と、
を備えたことを特徴とする携帯装置。
【請求項１１】  前記再生制御手段は、前記記録媒体に記録された複数の主データ集合体について、再生順序指定に基づいた再生動作制御が実行可能であることを特徴とする請求項１０に記載の携帯装置。
【請求項１２】  前記再生制御手段は、前記記録媒体に記録された複数の主データ集合体について、ランダムな順序で再生動作制御が実行可能であることを特徴とする請求項１０に記載の携帯装置。
【請求項１３】  前記携帯装置は、
前記記録媒体に記録された主データ集合体のうちで特定の主データ集合体を指定する指定手段を備え、
前記再生制御手段は、指定された前記特定の主データ集合体について、該特定の主データ集合体に含まれる各主データの順次再生、または指定順序再生、またはランダム順序再生の実行制御が可能とされていることを特徴とする請求項１０に記載の携帯装置。
【請求項１４】  前記再生制御手段は、
前記指定手段により複数の特定の主データ集合体が指定されたとき、指定された順番に基づいて前記特定の主データ集合体を順次再生することを特徴とする請求項１３に記載の携帯装置。
【請求項１５】  前記再生制御手段は、
前記指定手段により複数の特定の主データ集合体が指定されたとき、指定された複数の前記特定の主データ集合体に含まれる各主データをランダムに再生することを特徴とする請求項１３に記載の携帯装置。
【請求項１６】  データ通信可能な記録再生装置と携帯装置により形成されるデータ転送システムであって、
前記記録再生装置は、
主データと、複数の主データを、主データ集合体として管理する集合管理データが記録される記録媒体に対して、前記主データ及び集合管理データの書き込み又は読出を行うことのできる書込／読出手段と、
前記主データ集合体を選択する選択手段と、
前記選択手段で選択された主データ集合体について、該当する集合管理データ及び主データを前記記録媒体から読み出し、前記携帯装置に転送出力することができる転送制御手段と、
を備え、
前記携帯装置は、
前記記録再生装置から送信されてきた複数の主データ、及びその複数の主データを主データ集合体として管理する集合管理データを、記録媒体に記録する送信情報記録手段と、
前記記録媒体に記録された集合管理データに基づいて、主データ集合体単位で再生動作を実行させることのできる再生制御手段と、
を備えたことを特徴とするデータ転送システム。
【請求項１７】  前記携帯装置の前記再生制御手段は、前記記録媒体に記録された複数の主データ集合体について、再生順序指定に基づいた再生動作制御が実行可能であることを特徴とする請求項１６に記載のデータ転送システム。
【請求項１８】  前記携帯装置の前記再生制御手段は、前記記録媒体に記録された複数の主データ集合体について、ランダムな順序で再生動作制御が実行可能であることを特徴とする請求項１６に記載のデータ転送システム。
【請求項１９】  前記携帯装置は、
前記記録媒体に記録された主データ集合体のうちで特定の主データ集合体を指定する指定手段を備え、
前記携帯装置の前記再生制御手段は、指定された前記特定の主データ集合体について、該特定の主データ集合体に含まれる各主データの順次再生、または指定順序再生、またはランダム順序再生の実行制御が可能とされていることを特徴とする請求項１６に記載のデータ転送システム。
【請求項２０】  前記携帯装置の前記再生制御手段は、
前記指定手段により複数の特定の主データ集合体を指定されたとき、指定された順番に基づいて前記特定の主データ集合体を順次再生することを特徴とする請求項１９に記載のデータ転送システム。
【請求項２１】  前記携帯装置の前記再生制御手段は、
前記指定手段により複数の特定の主データ集合体を指定されたとき、指定された複数の前記特定の主データ集合体に含まれる各主データをランダムに再生することを特徴とする請求項１９に記載のデータ転送システム。
【請求項２２】  主データと、複数の主データを主データ集合体として管理する集合管理データとが記録される記録媒体に対して、前記主データ及び集合管理データの書き込み又は読出を行うことのできる記録再生装置のデータ転送方法として、
前記主データ集合体を選択する選択ステップと、
前記選択ステップで選択された主データ集合体について、該当する集合管理データ及び主データを前記記録媒体から読み出し、外部機器に転送出力する転送ステップと、
を備えたことを特徴とするデータ転送方法。
【請求項２３】  送信されてきた複数の主データ、及びその複数の主データを主データ集合体として管理する集合管理データを、記録媒体に記録する送信情報記録ステップと、
前記記録媒体に記録された集合管理データに基づいて、主データ集合体単位で再生動作を実行させる再生ステップと、
を備えたことを特徴とするデータ再生方法。
【請求項２４】  データ通信可能な記録再生装置と携帯装置により形成されるデータ転送システムのデータ転送及び再生方法として、
前記記録再生装置において、
主データと、複数の主データを主データ集合体として管理する集合管理データとが記録された第１の記録媒体から、前記主データ集合体を選択する選択ステップと、
前記選択ステップで選択された主データ集合体について、該当する集合管理データ及び主データを前記第１の記録媒体から読み出し、前記携帯装置に転送出力する転送ステップと、
が行われ、
前記携帯装置において、
前記記録再生装置から送信されてきた複数の主データ、及びその複数の主データを主データ集合体として管理する集合管理データを、第２の記録媒体に記録する送信情報記録ステップと、
前記第２の記録媒体に記録された集合管理データに基づいて、主データ集合体単位で再生動作を実行する再生ステップと、
を行われることを特徴とするデータ転送及び再生方法。
【手続補正３】
【補正対象書類名】明細書
【補正対象項目名】０００１
【補正方法】変更
【補正の内容】
【０００１】
【発明の属する技術分野】
本発明は、記録再生装置、携帯装置、及び記録再生装置と携帯装置から成るデータ転送システムに関する。さらにデータ転送方法、データ再生方法、データ転送及び再生方法に関する。
【手続補正４】
【補正対象書類名】明細書
【補正対象項目名】０００６
【補正方法】変更
【補正の内容】
【０００６】
このため本発明は、記録再生装置、記録再生装置と通信可能な携帯装置、この記録再生装置と携帯装置から成るデータ転送システムを提供、データ転送方法、データ再生方法、データ転送及び再生方法を提供する。
記録再生装置は、主データと、複数の主データを主データ集合体として管理する集合管理データとが記録される記録媒体に対して、前記主データ及び集合管理データの書き込み又は読出を行うことのできる書込／読出手段と、前記主データ集合体を選択する選択手段と、前記選択手段で選択された主データ集合体について、該当する集合管理データ及び主データを前記記録媒体から読み出し、外部機器に転送出力することができる転送制御手段と、を備えるようにする。
つまり、例えば曲集などの主データ集合体について、その主データ集合体を構成する複数の主データと、その複数の主データを主データ集合体として管理する集合管理データを共に、例えば携帯装置に送信できるようにする。